(57)【要約】３段階セルサーチ方式のセルサーチ精度を高めた受信装置を提供することを課題とし、受信信号Ｓｉｎが入力されるマッチドフィルタＭＦ及びスライディングコリレータ部ＳＣが設けられ、マッチドフィルタＭＦは受信信号Ｓｉｎと第１同期コードＰＳＣとの相関演算を行い、その出力ＳｐｓｃはメモリＭＥＭ１で保持された後、タイミング検出部ＴＤＰによって処理される。スライディングコリレータ部ＳＣは複数のスライディングコリレータＳＣ１〜ＳＣｑよりなり、その出力Ａ［１］〜Ａ［ｑ］はメモリＭＥＭ２で保持された後、タイミング・グループ特定部ＴＧＩによって処理される。スライディングコリレータ部ＳＣは第１、第２同期コード又は第２同期コードにより相関演算を行い、前者ではチャネル推定及び位相補正を実行した後に同相加算を行い、後者では同相加算のみ行う。
2002032029.tif 000002
【特許請求の範囲】
【請求項１】
複数の基地局に共通の第１同期コードと受信信号との相関演算を行う第１相関手段と、
前記相関の結果をスロット周期で隣接する複数スロットにわたり同相加算し、電力を算出して、スロット同期を特定するスロット特定手段と
を備えることを特徴とする受信装置。
【請求項２】
スクランブルコードグループを特定するための複数のコードから構成される第２同期コードと受信信号との相関演算を特定されたスロット同期に同期してスロット毎に行う第２相関手段と、
前記相関の結果をスロット毎に同相加算し、電力を算出して、フレーム同期及びスクランブルコードグループを特定する第１フレーム特定手段と
を備えることを特徴とする受信装置。
【請求項３】
複数の基地局に共通の第１同期コードと受信信号との相関演算を行う第１相関手段と、
スクランブルコードグループを特定するための複数のコードから構成される第２同期コードと受信信号との相関演算を前記第１相関手段により特定されたスロット同期に同期してスロット毎に行う第２相関手段と、
前記第１相関手段による相関の結果及び第２相関手段による相関の結果を用いチャネル推定及び位相補正を行い、位相補正された相関結果をスロット毎に同相加算し、電力を算出して、フレーム同期及びスクランブルコードグループを特定する第２フレーム特定手段と
を備えることを特徴とする受信装置。
【請求項４】
スクランブルコードグループを特定するための複数のコードから構成される第２同期コードと受信信号との相関演算を特定されたスロット同期に同期してスロット毎に行う第２相関手段と、
前記相関の結果を用いチャネル推定及び位相補正を行い、位相補正された相関結果をスロット毎に同相加算し、電力を算出して、フレーム同期及びスクランブルコードグループを特定する第３フレーム特定手段と
を備えることを特徴とする受信装置。
【請求項５】
スクランブルコードグループを特定するための複数のコードから構成される第２同期コードと受信信号との相関演算を特定されたスロット同期に同期してスロット毎に行う第２相関手段と、
前記相関の結果の第２同期コードのコード数×１フレーム内のスロット数のマトリックスを生成し、該マトリックスの要素に対して、各スクランブルコードグループを表す、既定の組合せパターンごとに加算して、フレーム同期及びスクランブルコードグループを特定する第４フレーム特定手段と
を備えることを特徴とする受信装置。
【請求項６】
前記第４フレーム特定手段は、マトリックスの隣接するスロットの要素に対して同相加算し、電力を算出して、フレーム同期及びスクランブルコードグループを特定することを特徴とする請求項５記載の受信装置。
【請求項７】
特定されたフレーム同期で、特定されたスクランブルコードグループのスクランブルコードと受信信号との相関演算を行う第３相関手段と、
前記相関の結果を複数シンボルにわたり同相加算し、電力を算出して、スクランブルコードを特定するスクランブルコード特定手段と
を備えることを特徴とする受信装置。
【請求項８】
前記スクランブルコード特定手段は、初期セルサーチにおいては、前記相関の結果から電力を算出し、複数シンボルにわたり加算して、スクランブルコードを特定し、周辺セルサーチにおいては、前記相関の結果を複数シンボルにわたり同相加算し、電力を算出して、スクランブルコードを特定することを特徴とする請求項７記載の受信装置。
【発明の詳細な説明】
技術分野
本発明は広帯域符号分割多重アクセス（Ｗ−ＣＤＭＡ）通信方式を適用するのに好適な受信装置に関し、特に、３段階セルサーチ方式のセルサーチ精度を高めた受信装置に関する。
背景技術
近年移動体通信の分野で注目を集めている広帯域符号分割多重アクセス（Ｗ−ＣＤＭＡ）通信方式は、セルサーチにおいて初期同期や基地局を特定する演算処理を行うため、セルサーチに多くの時間を要する。そこで基地局を特定するスクランブルコードをグループ分けし、グループを特定する第２同期コード（サーチコード）を設定して、セルサーチを高速化する３段階セルサーチ方式が提案されている（電子情報通信学会論文誌Ｂ　２０００年９月　Ｖｏｌ．Ｊ８３−Ｂ　Ｎｏ．９　ｐ．１２４５−１２５７参照）。
発明の開示
しかし、従来の３段階セルサーチ方式は、相関結果を利用するに際し、受信信号の振幅情報を利用しているが、位相情報を利用していないので、その精度が十分とは言えないものである。本発明はこのような背景の下に創案されたもので、３段階セルサーチ方式のセルサーチ精度を高めた受信装置を提供することを目的とする。
本発明の受信装置は、複数の基地局に共通の第１同期コードと受信信号との相関演算を行う第１相関手段と、前記相関の結果をスロット周期で隣接する複数スロットにわたり同相加算し、電力を算出して、スロット同期を特定するスロット特定手段とを備える。
また、本発明の受信装置は、スクランブルコードグループを特定するための複数のコードから構成される第２同期コードと受信信号との相関演算を特定されたスロット同期に同期してスロット毎に行う第２相関手段と、前記相関の結果をスロット毎に同相加算し、電力を算出して、フレーム同期及びスクランブルコードグループを特定する第１フレーム特定手段とを備える。
これにより、相関結果の位相情報を利用してフレーム同期及びスクランブルコードグループを特定することができる。
また、本発明の受信装置は、複数の基地局に共通の第１同期コードと受信信号との相関演算を行う第１相関手段と、スクランブルコードグループを特定するための複数のコードから構成される第２同期コードと受信信号との相関演算を前記第１相関手段により特定されたスロット同期に同期してスロット毎に行う第２相関手段と、前記第１相関手段による相関の結果及び第２相関手段による相関の結果を用いチャネル推定及び位相補正を行い、位相補正された相関結果をスロット毎に同相加算し、電力を算出して、フレーム同期及びスクランブルコードグループを特定する第２フレーム特定手段とを備える。
これにより、第１同期コードとの相関及び第２同期コードとの相関の結果の位相情報を利用して位相補正を行った上にフレーム同期及びスクランブルコードグループを特定することができる。
また、本発明の受信装置は、スクランブルコードグループを特定するための複数のコードから構成される第２同期コードと受信信号との相関演算を特定されたスロット同期に同期してスロット毎に行う第２相関手段と、前記相関の結果を用いチャネル推定及び位相補正を行い、位相補正された相関結果をスロット毎に同相加算し、電力を算出して、フレーム同期及びスクランブルコードグループを特定する第３フレーム特定手段とを備える。
これにより、相関結果の位相情報を利用して位相補正を行った上にフレーム同期及びスクランブルコードグループを特定することができる。
また、本発明の受信装置は、スクランブルコードグループを特定するための複数のコードから構成される第２同期コードと受信信号との相関演算を特定されたスロット同期に同期してスロット毎に行う第２相関手段と、前記相関の結果の第２同期コードのコード数×１フレーム内のスロット数のマトリックスを生成し、該マトリックスの要素に対して、各スクランブルコードグループを表す、既定の組合せパターンごとに加算して、フレーム同期及びスクランブルコードグループを特定する第４フレーム特定手段とを備える。
これにより、相関結果の位相情報を利用してマトリックスによる簡単な計算でフレーム同期及びスクランブルコードグループを特定することができる。
また、前記第４フレーム特定手段は、マトリックスの隣接するスロットの要素に対して同相加算し、電力を算出して、フレーム同期及びスクランブルコードグループを特定することで、さらに単純な演算でフレーム同期及びスクランブルコードグループを特定することができる。
また、本発明の受信装置は、特定されたフレーム同期で、特定されたスクランブルコードグループのスクランブルコードと受信信号との相関演算を行う第３相関手段と、前記相関の結果を複数シンボルにわたり同相加算し、電力を算出して、スクランブルコードを特定するスクランブルコード特定手段とを備える。
これにより、相関結果の位相情報を利用してスクランブルコードを特定することができる。
また、前記スクランブルコード特定手段は、初期セルサーチにおいては、前記相関の結果から電力を算出し、複数シンボルにわたり加算して、スクランブルコードを特定し、周辺セルサーチにおいては、前記相関の結果を複数シンボルにわたり同相加算し、電力を算出して、スクランブルコードを特定することで、より高い精度が求められる周辺セルサーチにおいて選択的に相関結果の位相情報を利用することができ、初期セルサーチにおいては単純な計算で高速に演算することができる。
本明細書は本願の優先権の基礎である特許願２０００−３０７９９１号の明細書および／または図面に記載される内容を包含する。
発明を実施するための最良の形態
以下、添付図面を参照しながら本発明の好適な実施の形態について詳細に説明する。
［第１実施の形態］
図１は、本発明の実施の形態に係る受信装置の処理対象となる３段階セルサーチ方式の送信信号フレーム構成を示す概念図である。
３段階セルサーチ方式は、共通パイロットチャネル（ＣＰＩＣＨ：Ｃｏｍｍｏｎ　Ｐｉｌｏｔ　Ｃｈａｎｎｅｌ）のパイロットパターンをＣＰＩ、全ての基地局に共通の第１同期コード（サーチコード）をＰＳＣ、基地局を特定するスクランブルコードをＧＣ［ｊ，ｋ］（ｊ＝１〜ｐ、ｋ＝１〜ｗ）、これらスクランブルコードが含まれる複数のスクランブルコードグループをＳＣＭＧ［ｇ］（ｇ＝１〜ｐ）、各スクランブルコードグループを特定するための第２同期コード（サーチコード）をＳＳＣ［ｕ］（ｕ＝１〜ｑ）とする。各スクランブルコードグループは、第２同期コードの組合せで特定される。
図１において、１フレームの長さをＭ〔スロット／フレーム〕×Ｎ〔シンボル／１スロット〕×ｎ〔チップ／１シンボル〕とし、第１同期コードＰＳＣ及び第２同期コードＳＳＣ［ｕ］による相関演算を１フレーム中のＭ個（スロット数に相当）の受信タイミングで行うこととしている。
送信信号の変調方式はＱＰＳＫ（Ｑｕａｄｒａｔｕｒｅ　Ｐｈａｓｅ　Ｓｈｉｆｔ　Ｋｅｙｉｎｇ）であり、送信信号は同相成分（Ｉ成分）及び直交成分（Ｑ成分）よりなる。
図２は、本発明の実施の形態に係る受信装置の構成を示すブロック図である。受信信号Ｓｉｎが入力されるマッチドフィルタＭＦ及びスライディングコリレータ部ＳＣが設けられている。なお、受信信号Ｓｉｎは同相成分（Ｉ成分）ＳｉｎＩ、直交成分（Ｑ成分）ＳｉｎＱとよりなる複素データである。
マッチドフィルタＭＦは受信信号Ｓｉｎと第１同期コードＰＳＣとの相関演算を行い、その出力Ｓｐｓｃはパワー計算部ＰＷに入力され、相関演算のパワー（相関電力）を出力し、メモリＭＥＭ１で保持された後、タイミング検出部ＴＤＰによって処理される。メモリＭＥＭ１は１スロット分の容量をもち、その前段の加算器ＡＤＤと合わせてスロット単位の相関演算のパワー出力を累積加算する。なお、出力ＳｐｓｃはＩ成分ＳｐｓｃＩ、Ｑ成分ＳｐｓｃＱとよりなる複素データである。
スライディングコリレータ部ＳＣは複数のスライディングコリレータＳＣ１〜ＳＣｑ（図５参照）よりなり、その出力Ａ［ｉ］（ｉ＝１〜ｑ）は、メモリＭＥＭ２で保持された後、タイミング・グループ特定部ＴＧＩによって処理される。
メモリＭＥＭ１は加算器ＡＤＤの出力を１スロット分保持し、初期状態ではパワーを１スロット期間保持した後に、加算器ＡＤＤに帰還する。その後、加算器ＡＤＤは加算結果に１スロット周期のパワーを順次加える。これによって、加算器ＡＤＤは１スロット周期のパワーを累積加算する。累積加算の期間は、１スロット（１スロット周期の２つのパワー）、又は複数スロット期間である。
パワーの大きさは図３のように変化し、スロット周期で巡回累積加算した後このパワーの大きさをタイミング検出部ＴＤＰの判定部ＪＰ１によって比較することによって、ピークを検出し、第１受信タイミングＴｐ１を検出する。この第１受信タイミングＴｐ１は図１の１スロットの始点を与え、スロット同期が検出されることになる。図３において第１同期コードＰＳＣを併せて表示して示すように、ピークは第１同期コードＰＳＣ（同期チャネル）のタイミングにおいて生じる。
第１受信タイミングＴｐ１はスライディングコリレータ部ＳＣに入力され、スライディングコリレータＳＣ１〜ＳＣｑの受信タイミングが設定される。スライディングコリレータＳＣ１〜ＳＣｑはそれぞれ第２同期コードＳＳＣ［１］〜ＳＳＣ［ｑ］と受信信号Ｓｉｎとの相関演算を１フレームにわたって行い、その出力Ａ［１］〜Ａ［ｑ］はマトリックスＡ［ｉ，ｊ］（ｉ＝１〜ｑ，ｊ＝１〜Ｍ）としてメモリＭＥＭ２に格納される（図７参照）。なお、マトリックスＡ［ｉ，ｊ］はＩ成分ＡＩ［ｉ，ｊ］とＱ成分ＡＱ［ｉ，ｊ］とよりなる複素データである。
タイミング・グループ特定部ＴＧＩは、マトリックスの要素に対して、各スクランブルコードグループＳＣＭＧ［ｇ］（ｇ∈｛１〜ｐ｝）を表す既定の第２同期コードの組合せパターンＳＳＣ［ｊ，Ｋｇｊ］（ｊ＝１〜Ｍ，Ｋｇｊ∈｛１〜ｑ｝）について同相加算部ＣＡＰによって同相加算し、この同相加算結果から、パワー平均部ＰＷＡによってそのパワーの平均値を算出する。このパワーの平均値の最大を選択することによって、判定部ＪＰ２は１個のスクランブルコードグループＳＣＭＧ［ｇ］を特定するとともに、第２受信タイミングＴｐ２を特定する。第２受信タイミングＴｐ２はフレームの始点を与え、フレーム同期が検出されることになる。
次に特定されたスクランブルコードグループＳＣＭＧ［ｇ］に含まれるスクランブレコードＧＣ［ｇ，ｉ］（ｉ＝１〜ｗ）についてスライディングコリレータ部ＳＣＡにより、受信信号ＳｉｎとスクランブルコードＧＣ［ｇ，ｉ］との相関演算を行い、次にシンボル間の同相加算のため共通パイロットチャネルＣＰＩＣＨによる変調効果を除去するために共通パイロットチャネルＣＰＩＣＨのパイロットパターンと複素共役演算を行う。スライディングコリレータ部ＳＣＡの出力には加算器ＡＤＤ３１〜ＡＤＤ３ｗが接続され、各加算器ＡＤＤ３１〜ＡＤＤ３ｗの出力にはメモリＭＥＭ３１〜ＭＥＭ３ｗがそれぞれ接続されている。メモリＭＥＭ３１〜ＭＥＭ３ｗの出力はそれぞれ加算器ＡＤＤ３１〜ＡＤＤ３ｗに帰還され、これによってスライディングコリレータ部ＳＣＡの相関演算結果について、同相成分（Ｉ成分）と直交成分（Ｑ成分）別に複数シンボルにわたり累積加算する。さらにメモリＭＥＭ３１〜ＭＥＭ３ｗの出力にはパワー計算部ＰＷ３１〜ＰＷ３ｗがそれぞれ接続され、累積加算結果のパワーの平均値を算出する。パワー計算部ＰＷ３１〜ＰＷ３ｗの出力には判定部ＪＰ３が接続され、パワーの平均値の最大を選択する。これによって判定部ＪＰ３はスクランブルコードＧＣ［ｇ，１］〜ＧＣ［ｇ，ｗ］の１つを特定する。
図４は、本実施の形態のマッチドフィルタＭＦの構成を示すブロック図である。マッチドフィルタＭＦは「階層的相関シーケンスの高速相関（Ｆａｓｔ　ｃｏｒｒｅｌａｔｉｏｎ　ｏｆ　ｈｉｅｒａｒｃｈｉｃａｌ　ｃｏｒｒｅｌａｔｉｏｎ　ｓｅｑｕｅｎｃｅ）」を実行するもので、マッチドフィルタＭＦ１、ＭＦ２を直列接続してなる。マッチドフィルタＭＦ１はｍ個の乗算回路Ｍ１１〜Ｍ１ｍと、受信信号Ｓｉｎを順次遅延して乗算回路Ｍ１２〜Ｍ１ｍに入力する遅延回路Ｄ１１〜Ｄ１，ｍ−１と、乗算回路Ｍ１１〜Ｍ１ｍの出力を合計する加算回路ＡＤＤ１とを備える。
一方、マッチドフィルタＭＦ２はｍ個の乗算回路Ｍ２１〜Ｍ２ｍと、マッチドフィルタＭＦ１の出力を順次遅延して乗算回路Ｍ２２〜Ｍ２ｍに入力する遅延回路Ｄ２１〜Ｄ２，ｍ−１と、乗算回路Ｍ２１〜Ｍ２ｍの出力を合計する加算回路ＡＤＤ２とを備える。
受信信号Ｓｉｎを離散的時系列信号としてＳｉｎ（ｉ）と表現すると、マッチドフィルタＭＦの出力Ｓｐｓｃは式（１）で表現される。ここで、第１同期コードＰＳＣは階層的相関シーケンスで、シーケンスＰ［ｉ］（ｉ＝１〜ｍ）及びシーケンスＣ［ｉ］（ｉ＝１〜ｍ）から構成される。なおシーケンスＰ［ｉ］とシーケンスＣ［ｉ］の周期を同一として説明したが、異なる周期であってもよい。
2002032029.tif 000003
なお、本実施の形態では、階層的な構成を例として説明したが、他の任意の構成のマッチドフィルタを使用し得る。
図５は、本実施の形態のスライディングコリレータ部ＳＣの構成を示すブロック図である。受信信号Ｓｉｎに対して、複数のスライディングコリレータＳＣ１〜ＳＣｑが並列に接続されている。各スライディングコリレータＳＣ１〜ＳＣｑにおいては、ｑ種の第２同期コードＳＳＣ［１］、ＳＳＣ［２］、．．．、ＳＳＣ［ｑ］と、受信信号Ｓｉｎとの相関演算が実行される。
図６は、本実施の形態のスライディングコリレータ部における１個のスライディングコリレータの構成を示す図である。スライディングコリレータＳＣ１は受信信号の同相成分ＳｉｎＩと直交成分ＳｉｎＱそれぞれについて相関演算を行う。
スライディングコリレータＳＣ１は受信信号のＩ成分ＳｉｎＩについて乗算回路ＭＩ１と乗算回路ＭＩ２を有し、乗算回路ＭＩ１は時系列の受信信号ＳｉｎＩと第２同期コードＳＳＣ［１］〜ＳＳＣ［ｑ］のそれぞれのＩ成分ＳＳＣＩ［１］〜ＳＳＣＩ［ｑ］との乗算を順次実行し、乗算回路ＭＩ２は時系列の受信信号ＳｉｎＩと第２同期コードＳＳＣ［１］〜ＳＳＣ［ｑ］のそれぞれのＱ成分ＳＳＣＱ［１］〜ＳＳＣＱ［ｑ］との乗算を順次実行する。
さらにスライディングコリレータＳＣ１は、受信信号のＱ成分ＳｉｎＱについて乗算回路ＭＱ１と乗算回路ＭＱ２を有し、乗算回路ＭＱ１は時系列の受信信号ＳｉｎＱと第２同期コードＳＳＣ［１］〜ＳＳＣ［ｑ］のそれぞれのＱ成分ＳＳＣＱ［１］〜ＳＳＣＱ［ｑ］との乗算を順次実行し、乗算回路ＭＱ２は時系列の受信信号ＳｉｎＱと第２同期コードＳＳＣ［１］〜ＳＳＣ［ｑ］のそれぞれのＩ成分ＳＳＣＩ［１］〜ＳＳＣＩ［ｑ］との乗算を順次実行する。乗算回路ＭＩ１の出力と乗算回路ＭＱ１の出力は、加算回路ＡＤＤＩにより加算され、その出力は積分・ダンプ回路ＩＮＤＩに入力され、相関演算結果ＡＩ［１］が算出される。乗算回路ＭＱ２と乗算回路ＭＩ２の出力は、減算回路ＡＤＤＱにより減算され、その出力は積分・ダンプ回路ＩＮＤＱに入力され、相関演算結果ＡＱ［１］が算出される。
第２同期コードは、拡散符号生成回路ＳＣＧで生成される。
図７は、メモリＭＥＭ２に格納されるマトリックスの構成を示すブロック図である。出力Ａ［１］〜Ａ［ｑ］はそれぞれ時系列でメモリＭＥＭ２に格納され、例えば出力Ａ［１］については、Ａ［１，１］〜Ａ［１，Ｍ］のＭ（＝１フレーム中のスロット数）個の複素データが格納される。このマトリックスの要素における所定の組合せにより隣接するスロットにおいて同相加算を行い、より高精度の受信タイミングを特定し、同時にスクランブルコードグループを特定する。なお、図７のマトリックスの行数は第２同期コードの数（ｑ）と等しく、列数は１フレーム中のスロット数（Ｍ）と同じである。
ここで、セルサーチの第２ステップの第１アルゴリズムを説明する。図７のマトリックスの各要素（複素データ）のＩ成分とＱ成分から相関電力（パワー）を求め、スクランブルコードグループ順に、そのスクランブルコードグループを特定するあらかじめ決まっている第２同期コードの組合せ（スロット毎に１個の第２同期コードから構成される。）に従って、１フレーム分（Ｍ個のスロット）の相関電力を累積加算する。
ここで要素Ａ［ｉ，ｊ］のＩ成分、Ｑ成分をＡＩ［ｉ，ｊ］、ＡＱ［ｉ，ｊ］とし、そのパワーをＰＷ［ｉ，ｊ］とすると、ＰＷ［ｉ，ｊ］は式（２）で表現される。
2002032029.tif 000004
スクランブルコードグループＳＣＭＧ［ｇ］（ｇ∈｛１〜ｐ｝）を特定するためにあらかじめ定まっている第２同期コードの組合せＳＳＣ［ｊ，Ｋｇｊ］、すなわち、ｊ番目（ｊ＝１〜Ｍ）のスロットにおいて、Ｋｇｊ番目（Ｋｇｊ∈｛１〜ｑ｝）の第２同期コードを使用する組合せに従って累積加算すると、相関電力の累積加算結果ＲＰＷｇは、
2002032029.tif 000005
となる。
ここに、メモリＭＥＭ２にとりこまれた要素Ａ［ｉ，ｊ］は、第２同期コードの組合せの先頭に対応する要素から開始するとは限らない。そこで、図７に、ＳＬ＝（１＋ｊｊ）、（２＋ｊｊ）、．．．、（Ｍ＋ｊｊ）で示すように、スロットにシフト量（ｊｊ）を与え、これらをＭを法とした番号として第２同期コードの組合せを判定する。
すなわち、各々スクランブルコードグループＳＣＭＧ［１］〜ＳＣＭＧ［ｐ］に対し、その第２同期コードの組合せに対応する成分をスロット毎にシフト量（ｊｊ）だけシフトし、全スロット位相について同様な演算を行い、すなわち、同じスクランブルコードグループについて、Ｍ種の累積相関電力を求める。
全スクランブルコードグループＳＣＭＧ［１］〜ＳＣＭＧ［ｐ］について、上記処理を行い、最大の累積相関電力を求め、スクランブルコードグループＳＣＭＧ［ｇ］を特定する。更に、該最大累積相関電力をもつ第２同期コードの組合せのシフト量からフレームの先頭スロットを検出することができる。またシフト量（ｊｊ）によって、フレーム同期（第２受信タイミングＴｐ２）が与えられる。
上記の第１アルゴリズムに対し，本発明の第１実施の形態では、スクランブルコードグループ及びフレーム同期の検出精度を高めるために、次の処理アルゴリズム（第２アルゴリズム）も提案する。
スクランブルコードグループ順に、そのスクランブルコードグループを特定するあらかじめ決まっている第２同期コードの組合せに従って、図７のマトリックスから該当要素（複素データ）を取り出し、隣接する２スロット以上のＩ成分とＱ成分別に累積加算（同相加算）し、そして、その結果の相関電力（パワー）を求め、１フレーム分の同相加算による相関電力を累積加算する。ここに２スロットの相関電力を累積加算したときは相関電力の個数はＭ／２となり、３スロット以上の相関電力を累積加算したときは相関電力の個数はＭ／２よりも小となる。
ここでスクランブルコードグループＳＣＭＧ［ｇ］における相関電力の累積加算結果ＰＷｇは式（４）のとおりとなる。なお、式（４）は隣接するスロットの同相加算例を示す。
2002032029.tif 000006
各々スクランブルコードグループＳＣＭＧ［１］〜ＳＣＭＧ［ｐ］に対し、その第２同期コードの組合せ成分をスロット毎にシフトし、全スロット位相について同様な演算を行う。全スクランブルコードグループＳＣＭＧ［１］〜ＳＣＭＧ［ｐ］について、このような処理を行い、最大の累積相関電力を求め、スクランブルコードグループＳＣＭＧ［ｇ］を特定する。更に、従来アルゴリズムと同様に該最大累積相関電力をもつ第２同期コードＳＳＣ［ｇ，１］〜ＳＳＣ［ｇ，ｑ］の組合せのシフト量からフレームの先頭スロット（フレーム同期）を検出する。なお、１フレーム以上にわたりサーチする場合、上述した１フレーム内の処理を繰返せばよい。図８では、本実施の形態のアルゴリズムをブロック図で説明する。
図８は、本実施の形態のスライディングコリレータ部及びタイミング・グループ特定部ＴＧＩの処理を示す機能ブロック図である。スライディングコリレータ部ＳＣによる相関演算は、１フレーム内の各スロットＳＬ１、ＳＬ２、ＳＬｊ、ＳＬｊ＋１、．．．ＳＬＭの先頭のシンボルＬＳにおいて実行される。相関演算結果は連続２スロット分ずつ同相加算部ＣＡＰによって同相加算され、パワー平均部ＰＷＡにおいてパワー計算（ＰＷＡ１で示す。）された後、平均値Ｐ［Ｉ，Ｊ］が算出される（ＰＷＡ２で示す）。
フェージングによる位相回転は隣接スロットの間ほとんど変わらないから、位相補正せずに隣接スロット間の同相加算を行うことによって、ノイズによる影響を抑えることができる。
また同相加算の対象となるスロット数を３スロット以上とし得ることはいうまでもない。
図９は、本実施の形態のパワー平均部の出力のマトリックスを示す図である。図９に示すマトリックスの行数はスクランブルコードグループ数（ｐ）と等しく、列数は１フレーム内のスロット数（Ｍ）と等しい。ここで式（４）に示したように、図７のマトリックスから図８に示す手順で各スクランブルコードグループＳＣＭＧ［ｇ］を表す第２同期コードＳＳＣ［１］〜ＳＳＣ［ｑ］の組合せパターンの相関出力電力の総和を算出し、さらに同一スクランブルコードグループＳＣＭＧ［ｇ］に対応する第２同期コードＳＳＣ［ｇ，ｉ］の組合せパターンについて、先頭スロットＬＳをスロットＳＬ１〜ＳＬＭごとにシフトした相関出力電力の総和も同様な方法で求める。
次に、図１０に示すように、スクランブルコードグループＳＣＭＧ［ｇ］に含まれるスクランブルコードＧＣ［ｇ，１］〜ＧＣ［ｇ，ｗ］について、受信信号Ｓｉｎとの相関演算を行う。スクランブルコードの個数ｗがスライディングコリレータの個数以下であれば、図示のようにＧＣ［ｇ，１］〜ＧＣ［ｇ，ｗ］をスライディングコリレータＳＣ１〜ＳＣｗに設定する。またｗがスライディングコリレータの個数より大のときはスクランブルコードＧＣ［ｇ，１］〜ＧＣ［ｇ，ｗ］を順次入替えて相関演算を行う。
スライディングコリレータ部ＳＣＡに含まれている各スライディングコリレータＳＣ１〜ＳＣｗの構成は前述のスライディングコリレータ部ＳＣのものと同じであり、ここではその説明を省略する。但し、スライディングコリレータ部ＳＣＡの出力は、図１０及び図２に示すとおりＳｔｈ［１］〜Ｓｔｈ［ｗ］（複素相関出力）である。
図２に示すように、スクランブルコードＧＣ［ｇ，１］〜ＧＣ［ｇ，ｗ］による共通パイロットチャネルに対して相関演算出力Ｓｔｈ［１］〜Ｓｔｈ［ｗ］を複数シンボルに渡ってＩ成分とＱ成分別に累積加算する。
図１１〜図１３は以上のセルサーチの処理を示すフローチャートである。
図１１は、図２のマッチドフィルタＭＦとタイミング検出部ＴＤＰの処理に対応した第１ステップを示す。第１ステップは以下の４段階のステップＳＴＥＰ１７１〜ＳＴＥＰ１７４よりなる。
〔ＳＴＥＰ１７１〕　マッチドフィルタＭＦによって、受信信号Ｓｉｎと第１同期コードＰＳＣとの相関演算を行う。
〔ＳＴＥＰ１７２〕　パワー算出部ＰＷによって、相関演算結果のパワー（相関電力）を求める。
〔ＳＴＥＰ１７３〕　１スロット以上（１スロットを含む。）にわたり、スロット周期のパワー平均を算出する。
〔ＳＴＥＰ１７４〕　パワー平均をメモリＭＥＭ１に格納した後、タイミング検出部ＴＤＰにおける判定部ＪＰ１によって、第１受信タイミングＴｐ１を検出する。
図１２は、図２のスライディングコリレータ部ＳＣとタイミング・グループ特定部ＴＧＩの処理に対応した第２ステップを示す。第２ステップは以下の４段階のステップＳＴＥＰ１８１〜ＳＴＥＰ１８４よりなる。
〔ＳＴＥＰ１８１〕　スライディングコリレータＳＣ１〜ＳＣｑによって、第１受信タイミングＴｐ１で、スロット毎に受信信号Ｓｉｎとすべての第２同期コードＳＳＣ［１］〜ＳＳＣ［ｑ］との相関演算を行う。
〔ＳＴＥＰ１８２〕　タイミング・グループ特定部ＴＧＩにおける同相加算部ＣＡＰによって、相関演算結果の同相加算を行う。
〔ＳＴＥＰ１８３〕　タイミング・グループ特定部ＴＧＩにおけるパワー平均部ＰＷＡによって、同相加算結果のパワーの平均値を算出する。
〔ＳＴＥＰ１８４〕　タイミング・グループ特定部ＴＧＩにおける判定部ＪＰ２によって、第２受信タイミングＴｐ２を特定し、同時にスクランブルコードグループＳＣＭＧ［ｇ］を特定する。
図１３は、図２のスライディングコリレータ部ＳＣＡとスクランブルコード特定部の処理に対応した第３ステップを示す。第３ステップは以下の４段階のステップＳＴＥＰ１９１〜ＳＴＥＰ１９４よりなる。
〔ＳＴＥＰ１９１〕　スライディングコリレータ部ＳＣＡによって、第２受信タイミングＴｐ２で、受信信号Ｓｉｎと、スクランブルコードグループ内のスクランブルコード及び共通パイロットチャネルのパイロットパターンとの相関演算を行う。
〔ＳＴＥＰ１９２〕　複数シンボルにわたり、相関演算結果をＩ成分とＱ成分別に累積加算を行う。
〔ＳＴＥＰ１９３〕　累積加算結果のパワー及びその平均値を算出する。
〔ＳＴＥＰ１９４〕　判定部ＪＰ３によって、スクランブルコード（基地局）を特定する。
図１４は、図１３のＳＴＥＰ１９１及び式（４）で示した処理を実行するためのプログラムの例を示す図である。
このプログラムでは全スクランブルコードグループの内実際に相関演算を実行すべきグループの個数をＡｃｔｉｖｅ＿ｎｕｍとし、行（１）においてＡｃｔｉｖｅ＿ｎｕｍを「０」に初期化している。相関演算を実行すべきスクランブルコードグループの番号をＩとするとき、行列ＧＲＰ＿ｓｅｔ［Ｉ］の要素（フラグ）を「１」とする。また相関演算を行うスクランブルコードグループの番号を行列Ａｃｔｉｖｅ＿ＧＲＰ［］で表現する。ここに初期セルサーチでは全グループをサーチ対象とし、周辺セルサーチではそれ以前に通信していた基地局との関連から一部のグループのみをサーチ対象とする。ＧＲＰ＿ｓｅｔ［Ｉ］のフラグの設定により、本プログラムは初期セルサーチ、周辺セルサーチの両者に対応し得る。
プログラムの行（２）、（７）はｑ個の全てのスクランブルコードグループについての繰り返し処理を示し、行（３）、（６）でＧＲＰ＿ｓｅｔ［Ｉ］が「１」か否か判断し、「１」であったときに、行（４）において、Ａｃｔｉｖｅ＿ＧＲＰ［］にスクランブルコードグループ番号を代入する。同時に行（５）においてＡｃｔｉｖｅ＿ｎｕｍを歩進していく。
行（８）ではループカウンタＩを「０」に初期化し、行（９）、（１８）で示す繰り返し処理により、Ｉ＜Ａｃｔｉｖｅ＿ｎｕｍが真である限りにおいて、相関電力を累積加算し、そのパワーを算出する。
行（１０）、（１６）、行（１２）、（１５）ではＭスロットについて累積加算を指定し、行（１３）において相関電力の複素データを累積加算する。行（１３）のＣＧ［Ａｃｔｉｖｅ＿ＧＲＰ［ｉ］，Ｊ］は、各スクランブルコードグループにおいて、マトリックスＡ［］の組合せパターンにおける行を指定する変数である。行（１４）では累積加算結果の複素データの絶対値を算出する。行（１７）ではループカウンタＩを歩進する。
以上のプログラムは、ＧＲＰ＿ｓｅｔ［］のフラグ設定によって初期セルサーチ、周辺セルサーチの両者に適用でき、プラグラムの効率化が実現されている。
［第２実施の形態］
図１５、図１６は本発明の第２実施の形態に係る受信装置のブロック図及び機能ブロック図を示す。
第２実施の形態では第２ステップにおいて、第１同期コードＰＳＣ及び全ての第２同期コードＳＳＣ［１］〜ＳＳＣ［ｑ］による相関演算を実行する。さらに第１、第２同期コードによる相関演算結果に基づくチャネル推定と、第２同期コードによる相関演算結果に対する位相補正を行う。
図１５において、Ｉ成分とＱ成分とよりなる受信信号ＳｉｎがマッチドフィルタＭＦ及びスライディングコリレータ部ＳＣＢ及びスライディングコリレータ部ＳＣＡに入力される。本実施の形態はスライディングコリレータ部ＳＣに関連した第２ステップの処理のみが第１実施の形態と異なるので、他の説明は省略する。
スライディングコリレータＳＣ１〜ＳＣｑは、第１受信タイミングＴｐ１で、スロットごとに、その先頭シンボルの受信信号Ｓｉｎと第１同期コードＰＳＣ及びすべての第２同期コードＳＳＣ［１］〜ＳＳＣ［ｑ］との相関演算を行い、その出力Ａ［１］〜Ａ［ｑ］を、更に、チャネル推定・位相補正部ＣＥＰＣによってチャネル推定・位相補正し、出力Ａ［１］〜Ａ［ｑ］をマトリックスＡ［Ｉ，Ｊ］としてメモリＭＥＭ２に格納する。
タイミング・グループ特定部ＴＧＩ１は、マトリックスの要素の組合せについて同相加算部ＣＡＰ１によって同相加算し、この同相加算結果から、パワー平均部ＰＷＡによってそのパワーの平均値を算出し、このパワーの平均値の最大を選択することによって、判定部ＪＰ２はスクランブルコードグループＳＣＭＧ［ｇ］を特定するとともに、第２受信タイミングＴｐ２を特定する。
その後、スクランブルコードグループＳＣＭＧ［ｇ］に含まれるスクランブルコードＧＣ［ｇ，１］〜ＧＣ［ｇ，ｗ］についてスライディングコリレータ部ＳＣＡにより、受信信号Ｓｉｎとの相関演算を行う。この相関演算結果について、複数シンボルにわたりＩ成分とＱ成分別に累積加算し、更に、そのパワーの平均値を算出し、このパワーの平均値の最大を選択することによって、判定部ＪＰ３はスクランブルコードＧＣ［ｇ，ｗ］を特定する。
図１６は、第２実施の形態のスライディングコリレータ部からタイミング・グループ特定部に至る処理を示す機能ブロック図である。スライディングコリレータ部ＳＣＢによる相関演算は、１フレーム内の全てのスロットの先頭のシンボルにおいて、第１同期コードＰＳＣ及び全ての第２同期コードＳＳＣ［ｕ］を用いて、Ｉ、Ｑ成分について実行される。
チャネル推定・位相補正部ＣＥＰＣは第１同期コードＰＳＣ及び第２同期コードＳＳＣ［ｕ］を用いた相関演算の結果によってチャネル推定を行う。すなわち、フェージングなどにより変化する複素データである受信信号Ｓｉｎの位相を推定する。実際には、このチャネル推定は以下に示すいずれの方法でもよい。
（１）第１同期コードＰＳＣを利用する方法：
第１同期コードＰＳＣの相関結果をチャネル推定値とする。
（２）第１同期コードＰＳＣと第２同期コードＳＳＣを利用する方法：
（ａ）第１同期コードＰＳＣの相関結果と同じスロットタイミングで受信した各スクランブルコードグループを特定する該当コードの第２同期コードＳＳＣの相関結果との和をチャネル推定値とする。
（ｂ）第１同期コードＰＳＣの相関結果と同じスロットタイミングで受信した全ての第２同期コードＳＳＣの相関結果との和をチャネル推定値とする。
（ｃ）第１同期コードＰＳＣの相関結果と同じスロットタイミングで受信した全ての第２同期コードＳＳＣの相関結果の中の最大振幅を持つ結果との和をチャネル推定値とする。
（３）第２同期コードＳＳＣを利用する方法：
（ａ）同じスロットタイミングで受信した各スクランブルコードグループを特定する該当コードの第２同期コードＳＳＣ（複数）の相関結果の和をチャネル推定値とする。
（ｂ）同じスロットタイミングで受信した全ての第２同期コードＳＳＣの相関結果の和をチャネル推定値とする。
（ｃ）同じスロットタイミングで受信した全ての第２同期コードＳＳＣの相関結果の中の最大振幅を持つ結果をチャネル推定値とする。
このチャネル推定結果を用い、第２同期コードＳＳＣ［ｕ］による相関演算結果に対して、位相補正を行う。
位相補正出力は同相加算部ＣＡＰ１によって同相加算され、パワー平均部ＰＷＡにおいてパワー計算された後、平均値Ｐ［Ｉ，Ｊ］が算出される。
このように位相補正を行えば受信信号Ｓｉｎのフェージングの影響を除去でき、さらに、位相補正後の信号が１フレームにわたって同相加算されるので、ノイズによる影響を一層抑えることができ、高品質の復調が可能である。
図１７は、図１５のスライディングコリレータ部ＳＣＢとタイミング・グループ特定部ＴＧＩ１の１回目の処理に対応した第２ステップ（第１実施の形態の図１２の処理に対応する。）を示すフローチャートである。第２ステップは以下の５段階のステップＳＴＥＰ２２１〜ＳＴＥＰ２２５よりなる。
〔ＳＴＥＰ２２１〕　スライディングコリレータＳＣ１〜ＳＣｐによって、第１受信タイミングＴｐ１で、受信信号Ｓｉｎと第１同期コードＰＳＣ及び第２同期コードＳＳＣ［ｕ］との相関演算を行う。
〔ＳＴＥＰ２２２〕　チャネル推定・位相補正部ＣＥＰＣにおいて、第１、第２同期コードの相関演算結果からチャネル推定を行うとともに、チャネル推定結果により第２同期コードとの相関演算結果に対して位相補正を行う。
〔ＳＴＥＰ２２３〕　タイミング・グループ特定部ＴＧＩ１における同相加算部ＣＡＰ１によって、位相補正結果の同相加算を行う。
〔ＳＴＥＰ２２４〕　タイミング・グループ特定部ＴＧＩ１におけるパワー平均部ＰＷＡによって、同相加算結果のパワーの平均値を算出する。
〔ＳＴＥＰ２２５〕　タイミング・グループ特定部ＴＧＩ１における判定部ＪＰ２によって、第２受信タイミングＴｐ２を特定し、同時にスクランブルコードグループを特定する。
［第３実施の形態］
図１８、図１９は、本発明の第３実施の形態に係る受信装置の構成を示すブロック図及び処理フローを示すフローチャートである。
第３実施の形態では、第１ステップにおいてマッチドフィルタＭＦによる第１同期コードＰＳＣと受信信号Ｓｉｎとの相関出力をまずＩ成分とＱ成分別に、１スロット以上（１スロットを含む。）にわたり、スロット周期で同相加算を行い、次にその同相加算の結果から相関電力（パワー）を求め、最後にその相関電力に基づいて第１受信タイミング（スロット同期）を検出する。
図１８において、Ｉ成分とＱ成分とよりなる受信信号ＳｉｎがマッチドフィルタＭＦに入力され、受信信号Ｓｉｎと第１同期コードＰＳＣとの相関演算が行われる。前述のとおり、図２、図１５の処理と同様、マッチドフィルタＭＦは複素型で、その相関出力Ｓｐｓｃも複素データであり、図１８では、マッチドフィルタＭＦの相関出力のＩ成分とＱ成分をそれぞれＳｐｓｃＩとＳｐｓｃＱで表す。
図１８のメモリＭＥＭ４１とメモリＭＥＭ４２は１スロット分の相関出力（Ｉ成分又はＱ成分）を蓄積することができ、１スロット以上にわたり、スロット周期で同相加算が行われる。その同相加算の結果がパワー計算部ＰＷに入力され、スロット周期の同相加算後の相関電力（パワー）が計算され、そして、判定部ＪＰ１で最大相関電力を有するタイミングを第１受信タイミング（スロット同期）Ｔｐ１と判定する。
図１９は、第３実施の形態の第１ステップ（第１実施の形態の図１１の処理に対応する。）を示すフローチャートである。第１ステップは以下の４段階のステップＳＴＥＰ３７１〜ＳＴＥＰ３７４よりなる。
〔ＳＴＥＰ３７１〕　マッチドフィルタＭＦによって、受信信号Ｓｉｎと第１同期コードＰＳＣとの相関演算を行う。
〔ＳＴＥＰ３７２〕　スロット周期でマッチドフィルタＭＦの相関出力（複素データ）をＩ成分ＳｐｓｃＩとＱ成分ＳｐｓｃＱに分けて、メモリＭＥＭ４１とメモリＭＥＭ４２に蓄積し、同相加算を行う。
〔ＳＴＥＰ３７３〕　同相加算結果から１スロット長の相関電力を算出する。場合によっては、ＳＴＥＰ３７２の同相加算区間を区切って、同相加算と相関電力算出を行い、さらに各区間の間において、相関電力を平均する。
〔ＳＴＥＰ３７４〕　同相加算後の相関電力が算出された後、タイミング検出部ＴＤＰにおける判定部ＪＰ１によって、第１受信タイミング（スロット同期）Ｔｐ１を検出する。
このようにセルサーチの第１ステップで同相加算を導入することによって、ノイズによる影響が抑えられ、高精度の第１受信タイミング（スロット同期）を検出することができる。
［第４実施の形態］
図２０は、本発明の第４実施の形態に係る受信装置の構成を示すブロック図である。特に、スクランブルコード特定のためのスライディングコリレータ部ＳＣＡ以下の回路部分を示すブロック図である。
第４実施の形態は、第１〜第３実施の形態におけるスクランブルコードグループＳＣＭＧ［ｇ］特定までの処理をそのまま適用でき、これら実施の形態のその後の処理のみを変更している。
図２０の回路は、スライディングコリレータ部ＳＣＡの出力にパワー計算部ＰＷ３１〜ＰＷ３ｗを接続し、これらパワー計算部ＰＷ３１〜ＰＷ３ｗの出力に加算器ＡＤＤ３１〜ＡＤＤ３ｗ、メモリＭＥＭ３１〜ＭＥＭ３ｗを順次接続してなる。
第１〜第３実施の形態と同様、スクランブルコードグループＳＣＭＧ［ｇ］に含まれるスクランブルコードＧＣ［ｇ，ｉ］（ｉ＝１〜ｗ）についてスライディングコリレータ部ＳＣＡにより、受信信号Ｓｉｎとスクランブルコードと共通パイロットチャネル（ＣＰＩＣＨ）のパイロットパターンとの相関演算を行う。
スライディングコリレータ部ＳＣＡの相関出力について、１シンボル毎に又は１シンボル以下の周期でパワー計算部ＰＷ３１〜ＰＷ３ｗによってそれぞれ相関電力が算出される。相関電力は加算器ＡＤＤ３１〜ＡＤＤ３ｗ及びメモリＭＥＭ３１〜ＭＥＭ３ｗによって複数シンボルに渡って積分される。
相関電力の複数シンボル分の積分値は判定部ＪＰ３に入力され、判定部ＪＰ３によって比較されて１個のスクランブルコードＧＣ［ｇ，１］〜ＧＣ［ｇ，ｗ］が特定される。
初期セルサーチ時には、基地局からの信号と移動局の局部発振周波数との周波数偏差が比較的大であり、その第３ステップのスクランブルコード特定において、本実施の形態の図２０に示す回路を使い、一方、周辺セルサーチ時の第３ステップにおいては、上記周波数偏差が比較的小であるため、図２及び図１５に示す第３ステップのための回路を使用する。
図２０に示す回路は、逆拡散後のＩ成分信号及びＱ成分信号を電力値に変換してから平均するため、基地局と移動局の発振器の周波数偏差に強く、初期セルサーチに向いている。一方、図２と図１５に示す第３ステップの処理回路は、逆拡散後のＩ成分信号、Ｑ成分信号別に平均した後に電力値に変換するため、この平均処理でノイズが相殺され、ノイズに強く、周辺セルサーチの第３ステップの処理に向く。
このように初期セルサーチと周辺セルサーチにおいて第３ステップの回路を使い分けることによって、セルサーチの誤検出率を低減することができる。
本明細書で引用した全ての刊行物、特許および特許出願をそのまま参考として本明細書にとり入れるものとする。
産業上の利用の可能性
本発明によれば、相関結果の位相情報を利用して高い精度でセルサーチをすることができる。
【図面の簡単な説明】
図１は、本発明の実施の形態に係る受信装置の処理対象となる３段階セルサーチ方式の送信信号フレーム構成を示す概念図である。
図２は、本発明の実施の形態に係る受信装置の構成を示すブロック図である。
図３は、本実施の形態のマッチドフィルタの出力を示すグラフである。
図４は、本実施の形態のマッチドフィルタの構成を示すブロック図である。
図５は、本実施の形態のスライディングコリレータ部の構成を示すブロック図である。
図６は、本実施の形態のスライディングコリレータ部における１個のスライディングコリレータの構成を示すブロック図である。
図７は、本実施の形態の第１のメモリに格納されるマトリックスの構成を示すブロック図である。
図８は、本実施の形態のスライディングコリレータ部及びタイミング・グループ特定部ＴＧＩの処理を示す機能ブロック図である。
図９は、本実施の形態のパワー平均部の出力のマトリックスを示す図である。
図１０は、本実施の形態のスライディングコリレータ部によって第２サーチコードによる相関演算を行うときの状態を示すブロック図である。
図１１は、本実施の形態におけるセルサーチの第１ステップを示すフローチャートである。
図１２は、本実施の形態におけるセルサーチの第２ステップを示すフローチャートである。
図１３は、本実施の形態におけるセルサーチの第３ステップを示すフローチャートである。
図１４は、本実施の形態の相関電力の累積加算及びその絶対値を算出するためのプログラムの例を示す図である。
図１５は、本発明の第２実施の形態に係る受信装置の構成を示すブロック図である。
図１６は、第２実施の形態のスライディングコリレータ部からタイミング・グループ特定部に至る処理を示す機能ブロック図である。
図１７は、第２実施の形態の第２ステップを示すフローチャートである。
図１８は、本発明の第３実施の形態に係る受信装置の構成を示すブロック図である。
図１９は、第３実施の形態の第１ステップを示すフローチャートである。
図２０は、本発明の第４実施の形態に係る受信装置の構成を示すブロック図である。
符号の説明
ＧＣ［ｊ，ｋ］（ｊ＝１〜ｐ、ｋ＝１〜ｗ）　スクランブルコード
ＳＣＭＧ［ｇ］（ｇ＝１〜ｐ）　スクランブルコードグループ
ＰＳＣ　　　　　第１同期コード
ＳＳＣ［ｕ］（ｕ＝１〜ｑ）　第２同期コード
ＭＦ　　　　　　マッチドフィルタ
ＳＣ　　　　　　スライディングコリレータ部
ＳＣ１〜ＳＣｑ　スライディングコリレータ
ＴＤＰ　　　　　タイミング検出部
ＣＡＰ、ＣＡＰ１　同相加算部
ＰＷＡ、ＰＷＡ１、ＰＷＡ２　パワー計算・平均部
ＪＰ１、ＪＰ２　判定部
ＴＧＩ　　　　　タイミング・グループ特定部
Ｔｐ２　　　　　第２受信タイミング
ＰＳｔｈ　　　　ピーク
【図１】
2002032029.tif 000007
【図２】
2002032029.tif 000008
【図３】
2002032029.tif 000009
【図４】
2002032029.tif 000010
【図５】
2002032029.tif 000011
【図６】
2002032029.tif 000012
【図７】
2002032029.tif 000013
【図８】
2002032029.tif 000014
【図９】
2002032029.tif 000015
【図１０】
2002032029.tif 000016
【図１１】
2002032029.tif 000017
【図１２】
2002032029.tif 000018
【図１３】
2002032029.tif 000019
【図１４】
2002032029.tif 000020
【図１５】
2002032029.tif 000021
【図１６】
2002032029.tif 000022
【図１７】
2002032029.tif 000023
【図１８】
2002032029.tif 000024
【図１９】
2002032029.tif 000025
【図２０】
2002032029.tif 000026
【国際調査報告】
2002032029.tif 000027
2002032029.tif 000028
2002032029.tif 000029
2002032029.tif 000030